(57)【要約】【課題】撮像素子の全撮像領域内で撮像に用いる領域を複数のフォーマットサイズに応じて切り換えて撮影可能な電子カメラにおいて、撮影に用いるフォーマットサイズ毎に最適な閃光タイミング及び画像信号読出タイミングを得られるようにする。【解決手段】撮像素子に対する露光時間を制御するシャッタの開閉についての所定のタイミング（ｔｂ，ｔｇ）と関係づけられた、閃光装置の閃光タイミングに関する閃光タイミング情報（Ｔ７ａ，Ｔ７ｂ，Ｔ７ｃ）、及び撮像素子からの画像信号の読み取りのタイミングに関する読出タイミング情報（Ｔ８ａ，Ｔ８ｂ，Ｔ８ｃ）を、フォーマットサイズに応じてそれぞれ複数記憶しておき、現在設定されているフォーマットサイズに対応する、閃光タイミング情報に従って閃光を行い、読出タイミング情報に従って撮像素子からの画像信号の読み出しを開始する。【選択図】図８
2009055491.tif 000002
【特許請求の範囲】
【請求項１】
撮像素子の全撮像領域内で撮像に用いる領域を複数のフォーマットサイズに応じて切り換えて撮影可能な撮影装置であって、
前記撮像素子に入射する光の光路を開閉する遮光部材を有するシャッタと、
前記遮光部材の開閉についての所定のタイミングと関係づけられた閃光装置の閃光タイミングに関する閃光タイミング情報を前記フォーマットサイズに応じて複数記憶する記憶手段と、
現在設定されているフォーマットサイズに対応する前記閃光タイミング情報を前記記憶手段から読み出し、該読み出した閃光タイミング情報に従って前記閃光装置を制御する制御手段と、
を備えることを特徴とする撮影装置。
【請求項２】
前記遮光部材の開閉を検出する検出手段を更に備え、
前記所定のタイミングは、前記検出手段により検出される前記遮光部材の前記光路の開放に関するタイミングであることを特徴とする請求項１に記載の撮影装置。
【請求項３】
撮像素子の全撮像領域内で撮像に用いる領域を複数のフォーマットサイズに応じて切り換えて撮影可能な撮影装置であって、
前記撮像素子に入射する光の光路を開閉する遮光部材を有するシャッタと、
前記遮光部材の開閉についての所定のタイミングと関係づけられた、前記撮像素子から画像信号を読み出すタイミングに関する読出タイミング情報を前記フォーマットサイズに応じて複数記憶する記憶手段と、
現在設定されているフォーマットサイズに対応する前記読出タイミング情報を前記記憶手段から読み出し、該読み出した読出タイミング情報に従って前記撮像素子からの画像信号の読み出しを制御する制御手段と、
を備えることを特徴とする撮影装置。
【請求項４】
前記遮光部材の開閉を検出する検出手段を更に備え、
前記所定のタイミングは、前記検出手段により検出される前記遮光部材の前記光路の閉塞に関するタイミングであることを特徴とする請求項３に記載の撮影装置。
【請求項５】
撮像素子の全撮像領域内で撮像に用いる領域を複数のフォーマットサイズに応じて切り換えて撮影可能な撮影装置であって、
前記撮像素子に入射する光の光路を開閉する遮光部材を有するシャッタと、
前記遮光部材の開閉についての所定の第１タイミングと関係づけられた閃光装置の閃光タイミングに関する閃光タイミング情報、及び前記遮光部材の開閉についての所定の第２タイミングと関係づけられた前記撮像素子からの画像信号の読み出しのタイミングに関する読出タイミング情報を、前記フォーマットサイズに応じてそれぞれ複数記憶する記憶手段と、
現在設定されているフォーマットサイズに対応する前記閃光タイミング情報及び前記読出タイミング情報を前記記憶手段から読み出し、該読み出した閃光タイミング情報に従って前記閃光装置を制御するとともに、該読み出した読出タイミング情報に従って前記撮像素子からの画像信号の読み出しを制御する制御手段と、
を備えることを特徴とする撮影装置。
【請求項６】
前記遮光部材の開閉を検出する検出手段を更に備え、
前記所定の第１タイミングは、前記検出手段により検出される前記遮光部材による前記光路の開放に関するタイミングであり、
前記所定の第２タイミングは、前記検出手段により検出される前記遮光部材による前記光路の閉塞に関するタイミングであることを特徴とする請求項５に記載の撮影装置。
【請求項７】
前記検出手段は、前記光路中への前記遮光部材の挿抜を光学的に検出する光学的検出手段であることを特徴とする請求項２，４又は６に記載の撮影装置。
【請求項８】
前記フォーマットサイズは、前記撮像素子の全撮像領域を用いるフルサイズ、該フルサイズよりも小さいＤＸサイズ、及び該ＤＸサイズよりも小さいクロップサイズのうちの少なくとも２つが設定されることを特徴とする請求項１〜７の何れか一項に記載の撮影装置。
【請求項９】
前記遮光部材は、前記撮像素子の撮像面を閉塞した状態から開放するように走行される先幕と、該先幕の走行開始後に該撮像面を開放した状態から閉塞するように走行される後幕とを有することを特徴とする請求項１〜８の何れか一項に記載の撮影装置。
【請求項１０】
撮像素子の全撮像領域内で撮像に用いる領域を複数のフォーマットサイズに応じて切り換えて撮影可能な撮影装置の制御方法であって、
前記撮像素子に対する露光時間を制御するシャッタの開閉についての所定のタイミングと関係づけられた閃光装置の閃光タイミングに関する閃光タイミング情報を前記フォーマットサイズに応じて複数記憶しておき、
現在設定されているフォーマットサイズに対応する前記閃光タイミング情報に従って、前記閃光装置に閃光の開始を指示することを特徴とする撮影装置の制御方法。
【請求項１１】
撮像素子の全撮像領域内で撮像に用いる領域を複数のフォーマットサイズに応じて切り換えて撮影可能な撮影装置の制御方法であって、
前記撮像素子に対する露光時間を制御するシャッタの開閉についての所定のタイミングと関係づけられた、前記撮像素子からの画像信号の読み出しのタイミングに関する読出タイミング情報を前記フォーマットサイズに応じて複数記憶しておき、
現在設定されているフォーマットサイズに対応する前記読出タイミング情報に従って、前記撮像素子からの画像信号の読み出しを開始することを特徴とする撮影装置の制御方法。
【請求項１２】
撮像素子の全撮像領域内で撮像に用いる領域を複数のフォーマットサイズに応じて切り換えて撮影可能な撮影装置の制御方法であって、
前記撮像素子に対する露光時間を制御するシャッタの開閉についての所定の第１タイミングと関係づけられた、閃光装置の閃光タイミングに関する閃光タイミング情報、及び前記撮像素子からの画像信号の読み取りのタイミングに関する読出タイミング情報を、前記フォーマットサイズに応じてそれぞれ複数記憶しておき、
現在設定されているフォーマットサイズに対応する前記閃光タイミング情報に従って前記閃光装置に閃光の開始を指示するとともに、当該フォーマットサイズに対応する前記読出タイミング情報に従って前記撮像素子からの画像信号の読み出しを開始することを特徴とする撮影装置の制御方法。
【発明の詳細な説明】
【技術分野】
【０００１】
本発明は、撮像素子の全撮像領域内で撮像に用いる領域を複数のフォーマットサイズに応じて切り換えて撮影可能な電子カメラ等の撮影装置及びその制御方法に関する。
【背景技術】
【０００２】
一眼レフ方式の電子カメラ（デジタルカメラ）に搭載される撮像素子の技術進展に伴い、より高解像で大型のフォーマットサイズを有する撮像素子が採用されるようになってきており、近時では、フルサイズ（２４ｍｍ×３６ｍｍ）の撮像素子も用いられるようになってきている。このような大型のフォーマットサイズの撮像素子を搭載した電子カメラにおいて、例えばＡＰＳ−Ｃサイズ（１６．７ｍｍ×２３．４ｍｍ）やＡＰＳ−Ｈサイズ（１６．７ｍｍ×３０．２ｍｍ）等の小型のフォーマットサイズに対応した撮影レンズを用いる場合には、撮像素子の全撮像領域（有効撮像領域）のうちの該ＡＰＳ−Ｃサイズ等の小さい領域に対応した部分を用いて撮影を行うことになる。
【０００３】
また、全撮像領域のうちの撮影に用いる領域をＡＰＳ−Ｃサイズ等よりも更に小さい領域に制限して、例えば連写モード（静止画を所定時間間隔で連続的に撮影するモード）における単位時間当たりの撮影コマ数（撮影枚数）を増やす、即ち撮影に用いる画素数を減少させて画像処理に要する時間を短縮するクロップ高速機能等とも呼ばれることがある機能を搭載した電子カメラも開発されている。
【０００４】
ところで、一般的なカメラは、露光時間を調整するため、撮像面に入射する光の光路を機械的に開閉するメカニカルシャッタを備えている。このようなメカニカルシャッタとしては、例えば、下記特許文献１に記載されているように、アクチュエータ等を備える駆動装置によって駆動される遮光部材としての先幕及び後幕を有し、静止画の撮影のためのレリーズスイッチ（ボタン）が押下（全押し）されると、まず先幕が撮像面を遮蔽している状態から該撮像面を開放する状態となるように走行され、適宜に設定されたシャッタ秒時（シャッタスピード）に相当する時間の経過後に、後幕が該撮像面を開放している状態から該撮像面を遮蔽する状態となるように走行されるものが知られている。先幕の走行後、後幕の走行が完了するまでの間に、撮影レンズを介した被写体の像が撮像面に結像されることになる。
【０００５】
このようなシャッタを備える従来の電子カメラにおいては、撮像素子からの画像信号の読み出しは、上述のシャッタの作動（先幕の走行）及び撮像素子の全撮像領域との関係において最適化されたタイミングで行われるようになっている。
【０００６】
また、写真撮影においては、夜間や室内での撮影時等に、適切な露出を得るため、スピードライトやエレクトロニック・フラッシュ等とも呼ばれる閃光装置が用いられるが、従来の電子カメラにおいては、撮影時における閃光装置の閃光（発光）タイミングも、該シャッタの作動（後幕の走行）及び撮像素子の全撮像領域との関係において最適化されたタイミングで行われるようになっている。
【０００７】
しかしながら、上述した通り、閃光装置の閃光タイミングは、シャッタの作動及び撮像素子の全撮像領域との関係において最適化されているため、撮像素子の全撮像領域よりも小さい領域を用いて撮影を行う場合には、最適なタイミングとはならない場合があるという問題があった。
【０００８】
また、上述した通り、撮像素子からの画像信号の読み出しのタイミングは、シャッタの作動及び撮像素子の全撮像領域との関係において最適化されているため、撮像素子の全撮像領域よりも小さい領域を用いて撮影を行う場合には、撮像素子からの画像信号の取り出しをより早く開始できる場合があるにもかかわらず、一律に待つことになるため、撮影画像の処理終了が遅くなる場合があるという問題があった。
【０００９】
よって本発明の目的は、撮像素子の全撮像領域内で撮像に用いる領域を複数のフォーマットサイズに応じて切り換えて撮影可能な撮影装置において、撮影に用いるフォーマットサイズ毎に最適な閃光タイミングを得られるようにすることである。
【００１０】
また、本発明の他の目的は、撮像素子の全撮像領域内で撮像に用いる領域を複数のフォーマットサイズに応じて切り換えて撮影可能な撮影装置において、撮影に用いるフォーマットサイズ毎に最適な画像信号の読み出しのタイミングを得られようにすることである。
【特許文献１】特開平９−３２５３８３号公報
【発明の開示】
【課題を解決するための手段】
【００１１】
本発明の第１の観点によると、撮像素子（６）の全撮像領域内で撮像に用いる領域を複数のフォーマットサイズ（サイズＡ〜Ｃ）に応じて切り換えて撮影可能な撮影装置であって、前記撮像素子に入射する光の光路を開閉する遮光部材（２３，３９）を有するシャッタ（７）と、前記遮光部材の開閉についての所定のタイミング（ｔ０，ｔｂ）と関係づけられた閃光装置（５）の閃光タイミングに関する閃光タイミング情報（ＦＬＴ，Ｔ７ａ，Ｔ７ｂ，Ｔ７ｃ）を前記フォーマットサイズに応じて複数記憶する記憶手段（ＭＥＭ）と、現在設定されているフォーマットサイズに対応する前記閃光タイミング情報を前記記憶手段から読み出し、該読み出した閃光タイミング情報に従って前記閃光装置を制御する制御手段（ＣＮＴ）と、を備える撮影装置が提供される。
【００１２】
本発明の第２の観点によると、撮像素子（６）の全撮像領域内で撮像に用いる領域を複数のフォーマットサイズ（サイズＡ〜Ｃ）に応じて切り換えて撮影可能な撮影装置であって、前記撮像素子に入射する光の光路を開閉する遮光部材（２３，３９）を有するシャッタ（７）と、前記遮光部材の開閉についての所定のタイミング（ｔ０，ｔｅ，ｔｇ）と関係づけられた、前記撮像素子から画像信号を読み出すタイミングに関する読出タイミング情報（ＩＲＴ，Ｔ８ａ，Ｔ８ｂ，Ｔ８ｃ）を前記フォーマットサイズに応じて複数記憶する記憶手段（ＭＥＭ）と、現在設定されているフォーマットサイズに対応する前記読出タイミング情報を前記記憶手段から読み出し、該読み出した読出タイミング情報に従って前記撮像素子からの画像信号の読み出しを制御する制御手段（ＣＮＴ）と、を備える撮影装置が提供される。
【００１３】
なお、この項の説明では、後述する実施形態を表す図面に示す部材やタイミング等を示す符号等を括弧を付して付記したが、これは単に理解の容易化のためであり、本発明の各構成要件は、これら部材等を示す符号等を付した図面に示す部材等に限定されるものではない。
【発明の効果】
【００１４】
本発明の第１の観点に係る発明では、閃光装置の閃光タイミングに関する閃光タイミング情報をフォーマットサイズに応じて複数記憶しておき、現在設定されているフォーマットサイズに対応する閃光タイミング情報に従って閃光装置を制御するようにしたので、撮影に用いるフォーマットサイズ毎に最適な閃光タイミングを得ることができる。従って、フォーマットサイズによらず、最適な露出で撮影を行うことができるようになる。
【００１５】
また、本発明の第２の観点に係る発明では、撮像素子からの画像信号の読み取りのタイミングに関する読出タイミング情報をフォーマットサイズに応じて複数記憶しておき、現在設定されているフォーマットサイズに対応する読出タイミング情報に従って撮像素子からの画像信号の読み出しを制御するようにしたので、撮影に用いるフォーマットサイズ毎に最適なタイミングで画像信号を読み出すことができる。従って、フォーマットサイズが小さい場合には、画像信号の読み出しの開始をより早い時点で行い得るので、画像信号の読み出しをより早く終了することができ、撮影処理時間を短縮することができる。
【発明を実施するための最良の形態】
【００１６】
以下、本発明の実施形態について、図面を参照して詳細に説明する。
【００１７】
〔電子カメラの全体構成〕
図１は本発明の実施形態に係る撮影装置としての電子カメラの概略構成を模式的に示す側断面図である。この実施形態の電子カメラは、いわゆる静止画を撮影する一眼レフ方式のデジタルカメラである。但し、本発明を適用可能な電子カメラとしては、一眼レフ方式のデジタルカメラに限られず、通常のビューファインダ方式や電子ビューファインダ方式のカメラ、その他のデジタルカメラであってもよい。また、本発明が適用可能な撮影装置には、カメラと称呼されるものに限られず、撮影機能付きの電子装置等を広く含む。なお、この実施形態のカメラは、内蔵のスピードライトを備えておらず、外付けのスピードライトを装着するタイプのカメラであるものとする。但し、内蔵のスピードライドを備えたタイプのカメラであってもよい。
【００１８】
図１において、カメラ１は、カメラ本体２及びカメラ本体２に交換可能に装着される撮影レンズ３を備えて構成されている。撮影レンズ３は、レンズマウント９を介して、カメラ本体２に装着される。なお、撮影レンズ３は交換可能なものでなく、カメラ本体２に一体的に固定されたものであってもよい。カメラ本体２の上部には、ファインダ４が一体的又は交換可能に取り付けられている。ファインダ４の上部には、スピードライト５を着脱可能に取り付けるためのフラッシュ取付部（不図示）が設けられている。
【００１９】
カメラ本体２の内部には、高解像度で、フルサイズ（２４ｍｍ×３６ｍｍ）の有効撮像領域を有するＣＣＤあるいはＣＭＯＳ等の撮像素子６が取り付けられている。但し、撮像素子６は、ＡＰＳ−Ｃサイズ（１６．７ｍｍ×２３．４ｍｍ）等の他のフォーマットサイズのものであってもよい。なお、本願明細書中においては、フォーマットサイズという用語には、撮像素子の有効撮像領域（全撮像領域）に係る大きさをいう場合と、該有効撮像領域内の一部の撮像領域を用いて撮影を行う場合の該一部の撮像領域に係る大きさをいう場合とが含まれる。
【００２０】
撮像素子６の前面側には、遮光部材を機械的に駆動して露光時間を調節するためのメカニカルシャッタ７が設けられている。この実施形態のメカニカルシャッタ７は、電子制御上下走行式のフォーカルプレーンシャッタである。メカニカルシャッタ７は、後述するように、走行可能な遮光部材としての先幕及び後幕を有し、静止画の撮影のためのレリーズボタンが押下（全押し）されると、まず先幕が撮像素子６の撮像面を閉塞（閉鎖）している状態から該撮像面を開放（開鎖）する状態となるように走行され、適宜に設定されたシャッタ秒時（シャッタスピード）に相当する時間の経過後に、後幕が該撮像面を開放している状態から該撮像面を閉塞する状態となるように走行される。先幕の走行後、後幕の走行が完了するまでの間に、撮影レンズ３を介した被写体の像が撮像素子６の撮像面に結像されることになる。
【００２１】
ファインダ４は、撮影レンズ３やクイックリターンミラー（反射ミラー）８を介して形成される被写体の光学像を目視観察するための光学式のファインダであり、フォーカシングスクリーン（焦点板）４１、ペンタ（ダハ）プリズム４２、測光素子４３、測光光学系４４、接眼部（接眼レンズ系）４５等を備えて構成されている。測光素子４３は、シャッタ秒時や絞り値を決定するために、測光光学系４４を介してこれに結像される像の明るさを測定する素子である。カメラ本体２の背面には、撮像素子６に結像される画像を表示可能なドットマトリックス表示方式の画像表示用の液晶パネルからなる画像表示モニタ４６が設けられている。
【００２２】
カメラ本体２内において、撮像素子６の前面側（メカニカルシャッタ７よりも更に前面側）には、周知の構造のクイックリターンミラー８が回動可能に軸支されている。
【００２３】
撮影レンズ３は、被写体の像を撮像素子６の撮像面上に結像させるための撮影光学系である。図１では、撮影レンズ３は焦点距離が変更可能なズームレンズであるものとするが、それに限られるものではない。撮影レンズ３は、レンズ鏡筒内部に、メインレンズ４７、ズームレンズやフォーカスレンズ等を含む複数のレンズからなるレンズ系４８、及び絞り４９等を備えて構成されている。ズームレンズ及びフォーカスレンズは、それぞれ撮影レンズ３の光軸ＡＸに沿う方向に移動可能に取り付けられている。
【００２４】
絞り４９は、撮像素子６へ入射させる光の量を調節するための可変開口絞りであり、絞り４９の設定は、測光素子４３の出力等に基づいて自動的に、又は撮影者の手動操作により行われる。また、この撮影レンズ３は該撮影レンズ３に関するレンズ情報が記憶されたメモリ（不図示）を有しており、このメモリ内のレンズ情報は、レンズマウント部９を介して、カメラ本体２のメイン制御部ＣＮＴに読み込まれるようになっている。このメモリに記憶されるレンズ情報には、この撮影レンズ３が対象とするフォーマットサイズ（フルサイズ、ＡＰＳ−Ｃサイズ等）を示すデータが含まれている。
【００２５】
カメラ本体２の上部又は背面には、図示は省略するが、撮影者が指示内容を手動入力するための各種のスイッチ、押しボタン、ダイヤル、十字キー等の操作部が配置されている。操作部としては、電源をオン／オフする電源ダイヤル、レリーズボタン、コマンドダイヤル、メニューボタン、項目選択用十字キー、ＯＫボタン（決定ボタン）、クロップ高速機能をオンにするクロップオンボタン等が設けられている。クロップオンボタンは、撮像素子６の全撮像領域に対して中央部分の比較的に小さい領域（以下、クロップサイズということがある）を用いて撮影することにより、画像処理速度等を向上し、高速連写を可能にするための機能を用いることを指示するためのボタンである。また、同じく図示は省略するが、カメラ本体２には、適正露光条件、その他の撮影に関する情報が表示される表示部として、外部から視認可能な情報表示パネル、及びファインダ４を介して視認可能なファインダ内表示部が設けられている。
【００２６】
静止画の撮影操作（レリーズボタンが全押しされる操作）がなされると、クイックリターンミラー８がミラーアップ状態に切り換えられ、これとほぼ同時にメカニカルシャッタ７が作動された後、クイックリターンミラー８は元の基本姿勢であるミラーダウン状態に速やかに戻される。これにより、１枚の画像が撮影され、カメラ１が備えるメモリカード等の不図示の記録媒体に記録される。クイックリターンミラー８がミラーアップ状態となることにより、ファインダ４への被写体の像の供給は一瞬遮断される。なお、動画撮影や画像表示モニタ４６にリアルタイム動画表示（ライブビュー）を行う場合には、クイックリターンミラー８は、ミラーアップ状態を継続的に維持するようになっている。
【００２７】
スピードライト５は、キセノンランプ５１、リフレクタ（反射板）５２、フレネルレンズ５３、電池等の閃光用バッテリ（不図示）等を概略備えて構成されており、閃光用バッテリから電力を供給して、キセノンランプ５１を発光させることにより、リフレクタ５２及びフレネルレンズ５３を介して、被写体を照明するための閃光を発する装置である。スピードライト５は、カメラ本体２のメイン制御部ＣＮＴからの閃光指示信号に基づいて発光される。
【００２８】
〔シャッタの構成〕
次に、メカニカルシャッタの具体的構成について、図２を参照して説明する。このメカニカルシャッタ６は、４枚の先幕羽根からなる先幕２３、同じく４枚の後幕羽根からなる後幕３９、これらの先幕２３、後幕３９を走行させるためのチャージ及びその開放を行うシャッタ駆動部、並びにシャッタモニタを備えて構成されている。シャッタ駆動部は、先幕２３用として、先マグネット（電磁石）１７、先アーマチャレバー１９、先カギ２６、及び先駆動レバー２９等を備え、後幕３９用として、後マグネット（電磁石）１８、後アーマチャレバー２０、後カギ３３、及び後駆動レバー３６等を備えて構成されている。先マグネット１７及び後マグネット１８は、メイン制御部ＣＮＴによる制御の下、不図示のシャッタ駆動回路から電力が供給されることにより作動される。
【００２９】
先アーマチャレバー１９は、ばね２１によって時計方向に付勢され、軸２５の回りに回転可能に取り付けられている。先カギ２６は、ばね２７によって時計方向に付勢され、軸２８の回りに回転可能に取り付けられている。この先カギ２６は、ばね３０の付勢力に抗して先駆動レバー２９を係止している。先駆動レバー２９は、ばね３０によって時計方向に付勢され、軸３１の回りに回転可能に取り付けられている。この先駆動レバー２９に設けられた駆動ピン２９ａは、先幕２３に設けられた長穴２３ａに遊嵌されている。
【００３０】
後アーマチャレバー２０は、ばね２２によって反時計方向に付勢され、軸３２の回りに回転可能に取り付けられている。後カギ３３は、ばね３４によって反時計方向に付勢され、軸３５の回りに回転可能に取り付けられている。この後カギ３３は、ばね３７の付勢力に抗して後駆動レバー３６を係止している。後駆動レバー３６は、ばね３７によって時計方向に付勢され、軸３８の回りに回転可能に取り付けられている。この後駆動レバー３６に設けられた駆動ピン３６ａは、後幕３９に設けられた長穴３９ａに遊嵌されている。先アーマチャレバー１９及び後アーマチャレバー２０は、不図示のメカ係止機構によって、それぞればね２１及び２２に抗して、機械的に解除可能に係止されている。
【００３１】
先マグネット１７及び後マグネット１８への通電がなされた状態で、不図示のメカ係止機構によるメカ係止が解除された状態では、先駆動レバー２９が先カギ２６により、後駆動レバー３６が後カギ３３により係止され、同図２に示されているように、先幕２３は撮像素子６の撮像面６ａを閉塞し、後幕３９は撮像素子６の撮像面６ａを開放した状態となっている。
【００３２】
先マグネット１７への通電がオフされると、先アーマチャレバー１９は、ばね２１の付勢力によって軸２５の回りに時計方向に回転し、先カギ２６は先アーマチャレバー１９によって押され、ばね２７に抗して軸２８の回りに反時計方向に回転する。これにより、先駆動レバー２９と先カギ２６との係合が解除され、先駆動レバー２９は、ばね３０の付勢力によって軸３１の回りに時計方向に回転し、先駆動レバー２９に設けられた駆動ピン２９ａが、先幕２３に設けられた長穴２３ａに遊嵌しているため、先幕２３の各先幕羽根は＋Ｙ方向に連動して走行し、撮像素子６の撮像面６ａが開放される。
【００３３】
次いで、後マグネット１８への通電がオフされると、後アーマチャレバー２０は、ばね２２の付勢力によって軸３２の回りに反時計方向に回転し、後カギ３３は後アーマチャレバー２０によって押され、ばね３４に抗して軸３５の回りに時計方向に回転する。これにより、後駆動レバー３６と後カギ３３との係合が解除され、後駆動レバー３６は、ばね３７の付勢力によって軸３８の回りに時計方向に回転し、後駆動レバー３６に設けられた駆動ピン３６ａが、後幕３９に設けられた長穴３９ａと遊嵌しているため、後幕３９の各後幕羽根は＋Ｙ方向に走行し、撮像素子６の撮像面６ａは後幕３９によって閉塞される。
【００３４】
シャッタモニタは、先幕２３及び後幕３９の走行を光学的に検出する検出装置であり、発光ダイオード（ＬＥＤ）等の発光素子１０、フォトトランジスタ（ＰＴＲ）等の受光素子１２、及び反射板２４を備えて構成され、先幕２３及び後幕３９に対して一方の側に発光素子１０と受光素子１２とが配置され、他方の側に反射板２４が配置されている。先幕２３又は後幕３９が発光素子１０及び受光素子１２と反射板２４との間に存在する場合には、発光素子１０からの光は受光素子１２で検出されず、存在しない場合には、発光素子１０からの光は反射板２４で反射されて受光素子１２で検出されるようになっている。これにより、先幕２３の先スリット形成羽根２３ｂがシャッタモニタを通過した時点、即ち撮像面６ａが完全に開放される僅かに前の時点、及び後幕３９の後スリット形成羽根３９ｂがシャッタモニタを通過して、撮像面６ａが完全に閉塞される僅かに前の時点を検出することができるようになっている。
【００３５】
〔制御系の構成〕
図３は本実施形態に係る電子カメラの制御系の要部構成を示すブロック図である。同図において、ＣＮＴは、カメラ本体２内に設けられた、この電子カメラ１を統括的に制御するメイン制御部（制御マイコン）であり、メイン制御部ＣＮＴは、メモリ（記憶部）ＭＥＭを備えている。メモリＭＥＭには、後述する撮影処理等を実行するためのプログラムを含む各種の制御プログラムや制御データが記憶されている。
【００３６】
メモリＭＥＭには、該制御データの一部として、複数のフォーマットサイズに対応してそれぞれに最適な、スピードライト５の閃光のタイミングを示す時間情報である閃光タイミング情報ＦＬＴ、及び撮像素子６からの画像信号の読み出しのタイミングを示す時間情報である画像信号読出タイミング情報ＩＲＴが予め記憶されている。
【００３７】
メイン制御部ＣＮＴは、シャッタ７の駆動との関係における後述する適宜なタイミングで撮像素子６から画像信号を読み出し、メイン制御部ＣＮＴが備える不図示のバッファメモリに一時的に格納し、必要に応じて画像処理やデータ圧縮処理等を施して、カメラ本体２に着脱可能に装着されるメモリカード等の記録媒体（不図示）に記憶させる。
【００３８】
また、メイン制御部ＣＮＴは、上述したシャッタ７の発光素子１０の発光を制御し、受光素子１２から検出信号を受け取るとともに、シャッタ駆動回路ＳＨＤを介して先マグネット１７及び後マグネット１８への通電のオン／オフを制御する。さらに、メイン制御部ＣＮＴは、スピードライト５を発光させて撮影を行う場合には、シャッタ７の駆動との関係における後述する適宜なタイミングでスピードライト５に閃光指示信号を送り、スピードライト５はこれに応じて、閃光を発する。
【００３９】
さらに、メイン制御部ＣＮＴは装着された撮影レンズ３からレンズ情報を受け取る。撮影レンズ３から受け取るレンズ情報には、該撮影レンズ３が対象とするフォーマットサイズ（ここでは、フルサイズ又はＡＰＳ−Ｃサイズに相当するＤＸサイズ等）を示す情報が含まれている。メイン制御部ＣＮＴには、カメラ本体２に設けられたレリーズボタンＲＬＢやクロップ高速機能を用いた撮影を行うためのクロップオンボタンＣＲＢ等を含む操作部からの指示信号が入力される。
【００４０】
ここで、この電子カメラ１は、撮像素子６の全撮像領域（有効撮像領域）内で撮像に用いる領域（撮影領域）を複数のフォーマットサイズに応じて切り換えて撮影することができるようになっている。即ち、図４に示されているように、先幕２３及び後幕３９の走行方向であるＹ方向に寸法ａを有するサイズＡ、同じくＹ方向に寸法ｂ（ｂ＜ａ）を有するサイズＢ及び同じくＹ方向に寸法ｃ（ｃ＜ｂ）を有するサイズＣの３つのフォーマットサイズによる撮影が可能となっている。
【００４１】
一例として、この実施形態では、サイズＡは撮像素子６の撮像面６ａの全撮像領域を用いて撮像するフルサイズ、サイズＢは該フルサイズよりも小さいＡＰＳ−Ｃサイズ相当であるＤＸサイズ、サイズＣは該ＤＸサイズよりも更に小さいクロップサイズ（クロップ高速機能に用いられるサイズ）であるものとする。但し、この場合の複数のフォーマットサイズは３つに限定されず、２つでも、４つ以上であってもよい。また、これらのフォーマットサイズは、ここではＸ方向及びＹ方向の双方に互いに寸法が異なっているものとするが、少なくともＹ方向に異なっていればよい。
【００４２】
メイン制御部ＣＮＴが備えるメモリＭＥＭには、図５に示されているように、これらのサイズＡ〜サイズＣに係る識別情報とともに、閃光装置５の閃光タイミングに関する閃光タイミング情報ＦＬＴ、及び撮像素子６からの画像信号の読み出しのタイミングに関する画像信号読出タイミング情報ＩＲＴがそれぞれに対応して予め記憶されている。これらの閃光タイミング情報ＦＬＴ及び画像信号読出タイミング情報ＩＲＴは、それぞれ対応するフォーマットサイズ（サイズＡ〜サイズＣ）について最適化された時間情報である。
【００４３】
ここでは、閃光タイミング情報ＦＬＴとして、サイズＡに対応してＴ７ａが、サイズＢに対応してＴ７ｂが、サイズＣに対応してＴ７ｃが記憶されており、画像信号読出タイミング情報ＩＲＴとして、サイズＡに対応してＴ８ａが、サイズＢに対応してＴ８ｂが、サイズＣに対応してＴ８ｃが記憶されている。なお、この実施形態では、各タイミング情報は、対応するフォーマットサイズのＹ方向の寸法ａ，ｂ，ｃ（ａ＞ｂ＞ｃ）に対応して、Ｔ７ａ＞Ｔ７ｂ＞Ｔ７ｃ，Ｔ８ａ＞Ｔ８ｂ＞Ｔ８ｃの関係となっている。
【００４４】
この実施形態では、閃光タイミング情報ＦＬＴは、シャッタ７のシャッタモニタの受光素子１２により先膜２３の先スリット形成羽根２３ｂの後端縁（−Ｙ方向側の端縁）の通過が検出された時点を起算点とし、各フォーマットサイズに係る撮影領域（撮影領域Ａ〜撮影領域Ｃ）が完全に開放されるまでの時間を示す情報である。つまり、この情報ＦＬＴを用いることによって、シャッタ（先幕）が任意のサイズの撮影領域を完全に開放したタイミングで閃光を発光させることができる。また、画像信号読出タイミング情報ＩＲＴは、同じくシャッタモニタの受光素子１２により後幕３９の後スリット形成羽根３９ｂの先端縁（＋Ｙ方向側の端縁）の通過が検出されてから、各フォーマットサイズに係る撮影領域（撮影領域Ａ〜撮影領域Ｃ）が完全に閉塞（閉鎖）されるまでの時間を示す情報である。つまり、この情報ＩＲＴを用いることによって、シャッタ（後幕）が任意のサイズの撮影領域を完全に閉鎖したタイミングで画像信号の読み出しを開始することができる。
【００４５】
これらの閃光タイミング情報ＦＬＴ及び画像信号読出タイミング情報ＩＲＴは、撮像素子６の各フォーマットサイズに係る撮影領域（Ｙ方向の寸法ａ，ｂ，ｃのそれぞれに対応する＋Ｙ方向側の端縁の位置）とシャッタモニタの検出点とのＹ方向における位置関係及び先幕２３又は後幕３９の走行速度に応じて決まる時間である。但し、これらのタイミング情報ＦＬＴ，ＩＲＴに係る時間の起算点は、上述の時点に限定されず、例えばレリーズボタンＲＬＢの押下の時点やその他の時点であってもよい。
【００４６】
なお、上記閃光タイミング情報ＦＬＴにおいて、各タイミングＴ７ｃ，Ｔ７ｂ，Ｔ７ａが、それぞれの対応する撮影領域Ｃ，Ｂ，Ａを先幕２３が開放した直後のタイミングに一致させずに、それよりも少し遅れたタイミング（図示の如きタイミング）としているのは、シャッタ幕の動作バラつきを考慮して、撮影領域がケラれないようにマージンをとっているためである。このことは、上記画像信号読出タイミング情報ＩＲＴにおける各タイミングＴ８ｃ，Ｔ８ｂ，Ｔ８ａについても同様である。
【００４７】
〔撮影処理〕
次に、図６に示すフローチャートを参照して、メイン制御部ＣＮＴによって実行される撮影処理について概説する。この撮影処理は、電子カメラ１が静止画を撮影するためのモード（１コマモード又は連写モード）に設定された場合に起動される。処理が開始されると、まず、ステップＳｌにおいて、メイン制御部ＣＮＴは、タイミング読込処理を行う。このタイミング読込処理は、現在設定されているフォーマットサイズを検出して、該フォーマットサイズに最適な閃光タイミング及び画像信号読出タイミングとして記憶されている時間情報をメモリＭＥＭから読み込む処理である。
【００４８】
タイミング読込処理の詳細は、図７に示されている。図７において、まず、クロップオンボタンＣＲＢが押下されているか否かを判断する（ステップＳ１１）。ステップＳ１１において、クロップボタンＣＲＢが押下されていると判断した場合（Ｙの場合）には、メモリＭＥＭからサイズＣに対応する閃光タイミング情報（即ち、Ｔ７ｃ）を読み込み、閃光タイミングについての作業変数Ｔ７に代入するとともに、メモリＭＥＭからサイズＣに対応する画像信号読出タイミング情報（即ち、Ｔ８ｃ）を読み込み、画像信号読出タイミングについての作業変数Ｔ８に代入して（ステップＳ１２）、図６のステップＳ２にリターンする。
【００４９】
ステップＳ１１において、クロップオンボタンＣＲＢが押下されていないと判断した場合（Ｎの場合）には、撮影レンズ３からのレンズ情報に基づいて、該撮影レンズ３が対象としているフォーマットサイズがＤＸサイズであるか否か、即ち撮影レンズ３がＤＸレンズであるか否かを判断する（ステップＳ１３）。ステップＳ１３において、ＤＸレンズであると判断された場合（Ｙの場合）には、メモリＭＥＭからサイズＢに対応する閃光タイミング情報（即ち、Ｔ７ｂ）を読み込み、閃光タイミングについての作業変数Ｔ７に代入するとともに、メモリＭＥＭからサイズＢに対応する画像信号読出タイミング情報（即ち、Ｔ８ｂ）を読み込み、画像信号の読み出しについての作業変数Ｔ８に代入して（ステップＳ１４）、図６のステップＳ２にリターンする。
【００５０】
ステップＳ１３において、撮影レンズ３がＤＸレンズでないと判断された場合（Ｎの場合）には、メモリＭＥＭからサイズＡに対応する閃光タイミング情報（即ち、Ｔ７ａ）を読み込み、閃光タイミングについての作業変数Ｔ７に代入するとともに、メモリＭＥＭからサイズＡに対応する画像信号読出タイミング情報（即ち、Ｔ８ａ）を読み込み、画像信号の読み出しについての作業変数Ｔ８に代入して（ステップＳ１５）、図６のステップＳ２にリターンする。
【００５１】
なお、ステップＳ１のタイミング読込処理（ステップＳ１１〜Ｓ１５）において、ここでは、クロップボタンＣＲＢの押下の有無及び撮影レンズ３のレンズ情報により、現在設定されているフォーマットサイズを検出するようにしたが、フォーマットサイズの切換ボタン等を設けて、サイズＡ〜サイズＣ（即ち、フルサイズ、ＤＸサイズ、クロップサイズ）を撮影者が任意に選択設定できるようにし、その設定内容を検出するようにしてもよい。
【００５２】
次いで、図６のステップＳ２において、測光素子４３から測光信号を取り込み、ステップＳ３において、ステップＳ２で取り込んだ測光信号に基づいて所定の露出演算を実行し、適正露光条件としての露光時間（シャッタ秒時）と絞り値を算出する。ここで露光時間とは、自動露出時に被写体の輝度に基づき、適正露光となるように、カメラが自動的に算出した露光時間のみならず、撮影者により任意に設定された露光時間であってもよい。ステップＳ４において、ステップＳ３の演算結果としての適正露光条件を表示する。この表示は、ファインダ４内の表示部（不図示）及び／又はカメラ本体２に設けられた情報表示パネル（不図示）上に行われる。
【００５３】
次に、ステップＳ５において、カメラ本体２のレリーズボタンＲＬＢが押下されたか否かを判断し、レリーズボタンＲＬＢが押下されていないと判断した場合（Ｎの場合）にはステップＳ１に戻る。ステップＳ５において、レリーズボタンＲＬＢが押下されたと判断した場合（Ｙの場合）には、ステップＳ６において、シャッタ駆動回路ＳＨＤを介して、先マグネット１７及び後マグネット１８への通電をオンにし、先アーマチャレバー１９及び後アーマチャレバー２０のメカ係止機構によるメカ係止を解除する。
【００５４】
その後、ステップＳ７において、クイックリターンミラー８を上昇（ミラーアップ）させ、撮影光路から退避させるとともに、絞り４９を絞り込んで所定絞り開口となるように駆動する。次に、ステップＳ８において、メイン制御部ＣＮＴは、シャッタ７の作動を制御して、撮像素子６ヘの露光を制御するシャンタルーチン処理を実行する。
【００５５】
シャッタルーチン処理の詳細については、図８及び図９を参照して後述する。ステップＳ８における露光動作が完了したならば、ステップＳ９において、クイックリターンミラー８を下降（ミラーダウン）させ、撮影光路内に復帰させるとともに、絞り４９を最大絞り開口に戻す。その後、ステップＳ１０において、メカニカルシャッタ７を図２に示す状態に戻して、メカ係止機構により先アーマチャレバー１９及び後アーマチャレバー２０を機械的に係止するメカチャージを行い、ステップＳ１に戻る。
【００５６】
〔全開露光の場合のシャッタルーチン処理〕
図８は、シャッタ秒時が比較的に長く、撮影時に撮像素子６の撮像面６ａが全開される、即ち先幕２３の走行の完了後に後幕３９の走行が開始される場合のシャッタルーチン（図６のステップＳ８）の詳細処理を説明するためのタイムチャートである。全開露光の場合には、閃光装置としてのスピードライト５により閃光を発生させて撮影することができる。なお、スピードライト５により閃光を発生させずに通常撮影を行う場合でも同様な処理となり、メイン制御部ＣＮＴからスピードライト５に閃光指示信号が送られないだけであるので、通常撮影の場合の説明は省略し、閃光を用いた撮影（閃光撮影）を行う場合を以下に説明する。
【００５７】
同図において、Ｔ１は先マグネット１７への通電をオフしてから受光素子１２の出力信号が受光を示すＨ（ハイ）になるまでの時間、Ｔ２は後マグネット１８への通電をオフしてから受光素子１２の出力信号が非受光を示すＬ（ロー）になるまでの時間であり、これらはメイン制御部ＣＮＴによって計時される実時間である。Ｔｓは先マグネット１７への通電をオフしてから後マグネット１８への通電をオフするまでの時間であり、現在設定されているシャッタ秒時（Ｔｒ’）に応じて予め決められた時間であり、メモリＭＥＭ内に制御情報として記憶されている。
【００５８】
Ｔ５は先幕２３の走行を検出するためのシャッタモニタの発光素子１０の点灯から消灯までの時間であり、先幕２３の走行開始から走行完了に至るまでの時間に基づいて予め決められて、メモリＭＥＭ内に制御情報として記憶されている。Ｔ６は後幕３９の走行を検出するための発光素子１０の点灯から消灯までの時間であり、後幕３９の走行開始から走行完了に至るまでの時間に基づいて予め決められて、メモリＭＥＭ内に制御情報として記憶されている。Ｔｒは実露光時間（実シャッタ開放時間）であり、Ｔｒ＝Ｔｓ＋Ｔ２−Ｔ１により算出される。
【００５９】
図８に示す全開露光の場合のシャッタルーチン処理は、シャッタ秒時が比較的に長い場合、ここでは、Ｔｓ＞Ｔ５である場合に実行され、Ｔｓ≦Ｔ５である場合には、図９で後述するスリット露光の場合のシャッタルーチン処理が実行される。
【００６０】
まず、カメラのレリーズ釦が全押しされると、タイミングｔ０において、メイン制御部ＣＮＴは、不図示の内部タイマーを作動させて計時を開始するとともに、シャッタ駆動回路ＳＨＤを介して先マグネット１７への通電をオフし、シャッタモニタの発光素子１０を点灯させる。先幕２３は、タイミングｔ０から所定の時間Δ１だけ遅れたタイミングｔａにおいて、開放方向（図２で＋Ｙ方向）への走行を開始する。所定の時間Δ１は先アーマチャレバー１９が回転し、先駆動レバー２９が回転を開始するに至るまでの遅延時間に相当する。メイン制御部ＣＮＴは、シャッタモニタの受光素子１２で受光信号が検出（Ｈレベル）されたタイミングｔｂにおいて、時間Ｔ１（タイミングｔ０からの経過時間）を記録し、計時を継続する。
【００６１】
メイン制御部ＣＮＴは、受光素子１２で受光信号が検出されたタイミングｔｂから、閃光指示に関する作業変数Ｔ７に設定された時間が経過した時点で、スピードライト５に対して閃光オンを指示する閃光指示信号（Ｘ接点信号）を出力し、スピードライト５はこの閃光指示信号を受けて発光を開始する。
【００６２】
上述したように、図６のＳ１で、現在設定されているフォーマットサイズがサイズＡ、即ちフルサイズであったものとすると、作業変数Ｔ７には時間Ｔ７ａが代入されているので、メイン制御部ＣＮＴは、タイミングｔｂから作業変数Ｔ７に設定された時間Ｔ７ａが経過したタイミングｔｃにおいて、スピードライト５に対する閃光指示信号を出力することになる。
【００６３】
また、図６のＳ１で、現在設定されているフォーマットサイズがサイズＢ、即ちＤＸサイズであったものとすると、作業変数Ｔ７には時間Ｔ７ｂが代入されているので、メイン制御部ＣＮＴは、タイミングｔｂから作業変数Ｔ７に設定された時間Ｔ７ｂが経過したタイミングｔｃ’において、スピードライト５に対する閃光指示信号を出力することになる。
【００６４】
さらに、図６のＳ１で、現在設定されているフォーマットサイズがサイズＣ、即ちクロップサイズであったものとすると、作業変数Ｔ７には時間Ｔ７ｃが代入されているので、メイン制御部ＣＮＴは、タイミングｔｂから作業変数Ｔ７に設定された時間Ｔ７ｃが経過したタイミングｔｃ”において、スピードライト５に対する閃光指示信号を出力することになる。
【００６５】
次に、メイン制御部ＣＮＴは、タイミングｔｃ（場合によりｔｃ’若しくはｔｃ”）より後のタイミングｔｄ（タイミングｔ０からの経過時間がＴ５になった時点）において、シャッタモニタの発光素子１０を一旦消灯させる。このような時間Ｔ５を設定して、発光素子１０を一旦消灯するようにしたのは、シャッタ秒時は、例えば１／８０００秒〜３０秒等の範囲で設定可能であり、シャッタ秒時が長い場合に、発光素子１０による発光を継続することは省エネルギの観点から好ましくないためである。従って、図９で後述するスリット露光の場合のシャッタルーチン処理で説明するように、シャッタ秒時が短い場合には、このような消灯は行われない。
【００６６】
次に、メイン制御部ＣＮＴは、タイミングｔ０から時間Ｔｓが経過したタイミングＴｅにおいて、後マグネット１８への通電のオフを指示するとともに、シャッタモニタの発光素子１０を再度点灯させる。これにより、後幕３９は、タイミングｔｅから所定時間Δ２だけ遅れたタイミングｔｆにおいて、閉鎖方向（図２において、＋Ｙ方向）への走行を開始する。所定時間Δ２は後アーマチャレバー２０が回転し、後駆動レバー３６の回転に至るまでの遅延時間に相当する。メイン制御部ＣＮＴは、シャッタモニタの受光素子１２で受光信号が検出されなくなるタイミングｔｇにおいて、時間Ｔ２（タイミングｔｅからの経過時間）を記録し、計時を継続する。
【００６７】
メイン制御部ＣＮＴは、タイミングｔｇから画像信号の読み出しに関する作業変数Ｔ８に設定された時間が経過した時点で、撮像素子６からの画像信号の読み出しを開始する。上述したように、図６のＳ１で、現在設定されているフォーマットサイズがサイズＡ、即ちフルサイズであったものとすると、作業変数Ｔ８には時間Ｔ８ａが代入されているので、メイン制御部ＣＮＴは、タイミングｔｇから作業変数Ｔ８に設定された時間Ｔ８ａが経過したタイミングｔｈにおいて、撮像素子６からの画像信号の読み出しを開始することになる。
【００６８】
また、図６のＳ１で、現在設定されているフォーマットサイズがサイズＢ、即ちＤＸサイズであったものとすると、作業変数Ｔ８には時間Ｔ８ｂが代入されているので、メイン制御部ＣＮＴは、タイミングｔｇから作業変数Ｔ８に設定された時間Ｔ８ｂが経過したタイミングｔｈ’において、撮像素子６からの画像信号の読み出しを開始することになる。
【００６９】
さらに、図６のＳ１で、現在設定されているフォーマットサイズがサイズＣ、即ちクロップサイズであったものとすると、作業変数Ｔ８には時間Ｔ８ｃが代入されているので、メイン制御部ＣＮＴは、タイミングｔｇから作業変数Ｔ８に設定された時間Ｔ８ｃが経過したタイミングｔｈ”において、撮像素子６からの画像信号の読み出しを開始することになる。
【００７０】
次に、メイン制御部ＣＮＴは、タイミングｔｈ（場合によりｔｈ’若しくはｔｈ”）より後のタイミングｔｉ（タイミングｔｅからの経過時間がＴ６になった時点）において、シャッタモニタの発光素子１０を消灯させる。
【００７１】
その後、メイン制御部ＣＮＴは、Ｔｒ＝Ｔｓ＋Ｔ２−Ｔ１により、実露光時間Ｔｒを算出し、実露光時間Ｔｒと現在設定されているシャッタ秒時Ｔｒ’との差（即ち、Ｔｒ−Ｔｒ’の絶対値）が予め決められた所定の許容値以上である場合には、シャッタの走行異常と判定し、不図示のファインダ内表示部及び／又は情報表示パネルに異常を示す表示を行い、所定の許容値未満である場合には、そのような異常を示す表示を行わずに、このシャッタルーチン処理を終了して、図６のステップＳ９にリターンする。
【００７２】
上述したように、複数のフォーマットサイズ（サイズＡ〜サイズＣ）に対応して閃光タイミング情報ＦＬＴ（Ｔ７ａ，Ｔ７ｂ，Ｔ７ｃ）をメモリＭＥＭに予め記憶保持しておき、現在設定されているフォーマットサイズに対応する閃光タイミング情報に従って閃光を発生させるようにしたので、現在設定されているフォーマットサイズに係る撮影領域（撮影領域Ａ〜撮影領域Ｃ）が先幕２３によって完全に開放されたその時点で、閃光を発生することができる。従って、撮影領域に応じて、当該フォーマットサイズに最適なタイミングで閃光を発生することができる。
【００７３】
また、複数のフォーマットサイズ（サイズＡ〜サイズＣ）に対応して画像信号読出タイミング情報ＩＲＴ（Ｔ８ａ，Ｔ８ｂ，Ｔ８ｃ）をメモリＭＥＭに予め記憶保持しておき、現在設定されているフォーマットサイズに対応する画像信号読出タイミング情報に従って撮像素子６から画像信号を読み出すようにしたので、各フォーマットサイズに係る撮影領域（撮影領域Ａ〜撮影領域Ｃ）が後幕３９によって完全に閉塞（閉鎖）されたその時点で、画像信号の読み出しを開始することができる。従って、撮影領域が小さい場合には、それに応じて画像信号の読み出しが早く開始されるので、該画像信号の読み出しを早く完了することができる。つまり、１枚の静止画の撮像に要する撮影処理時間を短縮することができる。
【００７４】
〔スリット露光の場合のシャッタルーチン処理〕
図９は、シャッタ秒時が比較的に短く、撮影時に撮像素子６の撮像面６ａが全開されない、即ち先幕２３の走行中に後幕３９の走行が開始されて、先幕２３の後端縁と後幕３９の先端縁とによって形成されるスリットにより、撮像素子６の撮像面６ａ上を走査して露光する場合のシャッタルーチン（図６のステップＳ８）の詳細処理を説明するためのタイムチャートである。なお、このスリット露光の場合には、スピードライト５を用いての閃光撮影は適さないため、閃光のための処理は行わない。
【００７５】
同図において、Ｔ１は先マグネット１７への通電をオフしてから受光素子１２の出力信号が受光を示すＨ（ハイ）になるまでの時間、Ｔ２は後マグネット１８への通電をオフしてから受光素子１２の出力信号が非受光を示すＬ（ロー）になるまでの時間であり、これらはメイン制御部ＣＮＴによって計時される実時間である。Ｔｓは先マグネット１７への通電をオフしてから後マグネット１８への通電をオフするまでの時間であり、現在設定されているシャッタ秒時（Ｔｒ’）に応じて予め決められて、メモリＭＥＭ内に制御情報として記憶されている。
【００７６】
Ｔ６は後幕３９の走行を検出するための発光素子１０の点灯から消灯までの時間であり、後幕３９の走行開始から走行完了に至るまでの時間に基づいて予め決められて、メモリＭＥＭ内に制御情報として記憶されている。Ｔｒは実露光時間（実開鎖時間）であり、Ｔｒ＝Ｔｓ＋Ｔ２−Ｔ１により算出される。
【００７７】
図９に示すスリット露光の場合のシャッタルーチン処理は、シャッタ秒時が比較的に短い場合、ここでは、Ｔｓ≦Ｔ５である場合に実行される。なお、Ｔ５は先幕２３の走行を検出するための発光素子１０の点灯から消灯までの時間であり、先幕２３の走行開始から走行完了に至るまでの時間に基づいて予め決められて、メモリＭＥＭ内に制御情報として記憶されている。
【００７８】
図８と同様に、カメラのレリーズ釦が全押しされると、タイミングｔ０において、メイン制御部ＣＮＴは、不図示の内部タイマーを作動させて計時を開始するとともに、シャッタ駆動回路ＳＨＤを介して先マグネット１７への通電をオフし、シャッタモニタの発光素子１０を点灯させる。先幕２３は、タイミングｔ０から所定の時間Δ１だけ遅れたタイミングｔａにおいて、開鎖方向（図２で＋Ｙ方向）への走行を開始する。所定の時間Δ１は先アーマチャレバー１９が回転し、先駆動レバー２９が回転を開始するに至るまでの遅延時間に相当する。
【００７９】
次に、メイン制御部ＣＮＴは、タイミングｔ０から時間Ｔｓが経過したタイミングＴｅにおいて、後マグネット１８への通電のオフを指示する。これにより、後幕３９は、タイミングｔｅから所定時間Δ２だけ遅れたタイミングｔｆにおいて、閉鎖方向（図２において、＋Ｙ方向）への走行を開始する。所定時間Δ２は後アーマチャレバー２０が回転し、後駆動レバー３６の回転に至るまでの遅延時間に相当する。
【００８０】
メイン制御部ＣＮＴは、シャッタモニタの受光素子１２で受光信号が検出されたタイミングｔｂにおいて、時間Ｔ１（タイミングｔ０からの経過時間）を記録し、計時を継続する。また、メイン制御部ＣＮＴは、シャッタモニタの受光素子１２で受光信号が検出されなくなるタイミングｔｇにおいて、時間Ｔ２（タイミングｔｅからの経過時間）を記録し、計時を継続する。
【００８１】
メイン制御部ＣＮＴは、タイミングｔｂから画像信号の読み出しに関する作業変数Ｔ８に設定された時間が経過した時点で、撮像素子６からの画像信号の読み出しを開始する。上述したように、図６のＳ１で、現在設定されているフォーマットサイズがサイズＡ、即ちフルサイズであったものとすると、作業変数Ｔ８には時間Ｔ８ａが代入されているので、メイン制御部ＣＮＴは、タイミングｔｇから作業変数Ｔ８に設定された時間Ｔ８ａが経過したタイミングｔｈにおいて、撮像素子６からの画像信号の読み出しを開始することになる。
【００８２】
また、図６のＳ１で、現在設定されているフォーマットサイズがサイズＢ、即ちＤＸサイズであったものとすると、作業変数Ｔ８には時間Ｔ８ｂが代入されているので、メイン制御部ＣＮＴは、タイミングｔｇから作業変数Ｔ８に設定された時間Ｔ８ｂが経過したタイミングｔｈ’において、撮像素子６からの画像信号の読み出しを開始することになる。
【００８３】
さらに、図６のＳ１で、現在設定されているフォーマットサイズがサイズＣ、即ちクロップサイズであったものとすると、作業変数Ｔ８には時間Ｔ８ｃが代入されているので、メイン制御部ＣＮＴは、タイミングｔｇから作業変数Ｔ８に設定された時間Ｔ８ｃが経過したタイミングｔｈ”において、撮像素子６からの画像信号の読み出しを開始することになる。
【００８４】
次に、メイン制御部ＣＮＴは、タイミングｔｈ（場合によりｔｈ’若しくはｔｈ”）より後のタイミングｔｉ（タイミングｔｅからの経過時間がＴ６になった時点）において、シャッタモニタの発光素子１０を消灯させる。
【００８５】
その後、メイン制御部ＣＮＴは、Ｔｒ＝Ｔｓ＋Ｔ２−Ｔ１により、実露光時間Ｔｒを算出し、実露光時間Ｔｒと現在設定されているシャッタ秒時Ｔｒ’との差（即ち、Ｔｒ−Ｔｒ’の絶対値）が予め決められた所定の許容値以上である場合には、シャッタの走行異常と判定し、不図示のファインダ内表示部及び／又は情報表示パネルに異常を示す表示を行い、所定の許容値未満である場合には、そのような異常を示す表示を行わずに、このシャッタルーチンを終了し、図６のＳ９にリターンする。
【００８６】
上述したように、複数のフォーマットサイズ（サイズＡ〜サイズＣ）に対応して画像信号読出タイミング情報ＩＲＴ（Ｔ８ａ，Ｔ８ｂ，Ｔ８ｃ）をメモリＭＥＭに予め記憶保持しておき、現在設定されているフォーマットサイズに対応する画像信号読出タイミング情報に従って撮像素子６から画像信号を読み出すようにしたので、各フォーマットサイズに係る撮影領域（撮影領域Ａ〜撮影領域Ｃ）が後幕３９によって完全に閉塞（閉鎖）された時点で、画像信号の読み出しを開始することができる。従って、撮影領域が小さい場合には、それに応じて画像信号の読み出しが早く開始されるので、該画像信号の読み出しを早く完了することができる。つまり、１枚の静止画の撮影に要する撮影処理時間を短縮することができる。
【００８７】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【図面の簡単な説明】
【００８８】
【図１】本発明の実施形態の電子カメラの概略構成を模式的に示す側断面図である。
【図２】本発明の実施形態のメカニカルシャッタの要部構成を示す一部を分解した斜視図である。
【図３】本発明の実施形態の制御系の要部構成を示すブロック図である。
【図４】本発明の実施形態において設定された複数のフォーマットサイズの相互の関係を示す図である。
【図５】本発明の実施形態のメイン制御部が備えるメモリ内に記憶された閃光タイミング情報及び画像信号読出タイミング情報を示す図である。
【図６】本発明の実施形態の撮影処理を示すフローチャートである。
【図７】本発明の実施形態のタイミング読込処理を示すフローチャートである。
【図８】本発明の実施形態の全開露光の場合のシャッタルーチン処理を示すタイムチャートである。
【図９】本発明の実施形態のスリット露光の場合のシャッタルーチン処理を示すタイムチャートである。
【符号の説明】
【００８９】
１…カメラ、２…カメラ本体、３…撮影レンズ、４…ファインダ、５…スピードライト、６…撮像素子、７…メカニカルシャッタ、８…クイックリターンミラー、９…レンズマウント、１０…発光素子、１２…受光素子、１７…先マグネット、１８…後マグネット、１９…先アーマチャレバー、２０…後アーマチャレバー、２３…先幕、２４…反射板、２９…先駆動レバー、３６…後駆動レバー、３９…後幕、ＣＮＴ…メイン制御部、ＭＥＭ…メモリ、ＦＬＴ…閃光タイミング情報、ＩＲＴ…画像信号読出タイミング情報、ＲＬＢ…レリーズボタン、ＣＲＢ…クロップオンボタン、ＳＨＤ…シャッタ駆動回路、Ｔ７ａ…フルサイズの閃光タイミング情報、Ｔ７ｂ…ＤＸサイズの閃光タイミング情報、Ｔ７ｃ…クロップサイズの閃光タイミング情報、Ｔ８ａ…フルサイズの画像信号読出タイミング情報、Ｔ８ｂ…ＤＸサイズの画像信号読出タイミング情報、Ｔ８ｃ…クロップサイズの画像信号読出タイミング情報。
【図１】
2009055491.tif 000003
【図２】
2009055491.tif 000004
【図３】
2009055491.tif 000005
【図４】
2009055491.tif 000006
【図５】
2009055491.tif 000007
【図６】
2009055491.tif 000008
【図７】
2009055491.tif 000009
【図８】
2009055491.tif 000010
【図９】
2009055491.tif 000011